(57)【要約】【課題】横板部材の固定強度を向上し得る横板固定具及びこれを備えた収納装置を提供する。【解決手段】収納空間２の両側壁３，３間に架け渡されるようにして配設される横板部材１０の側端部１１を支持する横板固定具２０であって、前記横板部材の側端面１２に対面配置され、前記側壁に固定される側片部２１と、前記横板部材の下面１３に当接され、この横板部材の側端部に固定される下片部２５と、前記横板部材の上面１４に当接される押え片部２３と、を備えている。【選択図】図１
2012225066.tif 000002
【特許請求の範囲】
【請求項１】
収納空間の両側壁間に架け渡されるようにして配設される横板部材の側端部を支持する横板固定具であって、
前記横板部材の側端面に対面配置され、前記側壁に固定される側片部と、
前記横板部材の下面に当接され、この横板部材の側端部に固定される下片部と、
前記横板部材の上面に当接される押え片部と、
を備えていることを特徴とする横板固定具。
【請求項２】
請求項１において、
前記押え片部は、前記側片部の後端部から前記収納空間の開口幅方向中央側に向けて屈曲されるように前記側片部に設けられ、前記横板部材の後端側の上面に当接される構成とされていることを特徴とする横板固定具。
【請求項３】
請求項１または２において、
前記側片部の前端部には、前記横板部材の前端面に対面配置される前端片部が設けられていることを特徴とする横板固定具。
【請求項４】
請求項１乃至３のいずれか１項において、
前記側片部には、前後方向に沿って長尺の止具挿通長孔が形成されていることを特徴とする横板固定具。
【請求項５】
請求項１乃至４のいずれか１項において、
前記下片部には、前記横板部材の下方側に配設されるパイプ部材の端部が取り付けられるパイプ取付具を保持する係合保持部が設けられていることを特徴とする横板固定具。
【請求項６】
収納空間の両側壁間に架け渡されるようにして配設される横板部材と、
前記横板部材の両側端部をそれぞれに支持する請求項１乃至５のいずれか１項に記載の一対の横板固定具と、
前記収納空間の開口幅方向途中部位において後方側壁に沿うように上下に配設され、上端部が前記横板部材に固定される縦仕切板部材と、
を備えていることを特徴とする収納装置。
【発明の詳細な説明】
【技術分野】
【０００１】
本発明は、住居等の建物の収納空間の両側壁間に架け渡されるようにして配設される横板部材の側端部を支持する横板固定具及びこれを備えた収納装置に関する。
【背景技術】
【０００２】
従来より住居等の建物内に形成されたクローゼットや押入れ等の収納空間の両側壁間に、天板や枕棚、棚板等の横板を架け渡すように配設した収納構造が知られている。
このような横板を架け渡すように固定する際には、従来、両側壁や後方側壁に横板の側端部や後端部を載置する受け桟を固定し、この受け桟に対して直接乃至はＬ型金具等を用いてねじ等によって横板を固定する態様とされていた（例えば、下記特許文献１参照）。
【先行技術文献】
【特許文献】
【０００３】
【特許文献１】特開２００４−１８３３２３号公報
【発明の概要】
【発明が解決しようとする課題】
【０００４】
しかしながら、上記したような横板の固定態様では、横板に上方側等への外力が加わった場合には、横板が受け桟やＬ型金具等から浮き上がったり、外れたりすることが考えられ、更なる改善が望まれていた。
【０００５】
本発明は、上記実情に鑑みてなされたものであり、横板部材の固定強度を向上し得る横板固定具及びこれを備えた収納装置を提供することを目的としている。
【課題を解決するための手段】
【０００６】
上記目的を達成するために、本発明に係る横板固定具は、収納空間の両側壁間に架け渡されるようにして配設される横板部材の側端部を支持する横板固定具であって、前記横板部材の側端面に対面配置され、前記側壁に固定される側片部と、前記横板部材の下面に当接され、この横板部材の側端部に固定される下片部と、前記横板部材の上面に当接される押え片部と、を備えていることを特徴とする。
【０００７】
本発明においては、前記押え片部を、前記側片部の後端部から前記収納空間の開口幅方向中央側に向けて屈曲されるように前記側片部に設け、前記横板部材の後端側の上面に当接される構成としてもよい。
また、本発明においては、前記側片部の前端部に、前記横板部材の前端面に対面配置される前端片部を設けてもよい。
また、本発明においては、前記側片部に、前後方向に沿って長尺の止具挿通長孔を設けてもよい。
また、本発明においては、前記下片部に、前記横板部材の下方側に配設されるパイプ部材の端部が取り付けられるパイプ取付具を保持する係合保持部を設けてもよい。
【０００８】
また、上記目的を達成するために、本発明に係る収納装置は、収納空間の両側壁間に架け渡されるようにして配設される横板部材と、前記横板部材の両側端部をそれぞれに支持する本発明に係る一対の横板固定具と、前記収納空間の開口幅方向途中部位において後方側壁に沿うように上下に配設され、上端部が前記横板部材に固定される縦仕切板部材と、を備えていることを特徴とする。
【発明の効果】
【０００９】
本発明に係る横板固定具及びこれを備えた収納装置は、上述のような構成としたことで、横板部材の固定強度を向上させることができる。
【図面の簡単な説明】
【００１０】
【図１】（ａ）は、本発明の一実施形態に係る収納装置の一例が備える横板固定具の一例を模式的に示し、図２におけるＸ１部に対応させた概略拡大斜視図、（ｂ）は、同収納装置が備える縦仕切板固定具の一例を模式的に示し、図２におけるＸ２部に対応させた概略拡大斜視図である。
【図２】同収納装置が施工された状態を模式的に示す概略斜視図である。
【図３】図２に対応させた概略拡大正面図である。
【図４】図２におけるＹ−Ｙ線矢視に対応させた概略拡大側面図である。
【図５】図２に対応させた概略拡大平面図である。
【発明を実施するための形態】
【００１１】
以下に本発明の実施の形態について、図面に基づいて説明する。
なお、一部の図では、他図に付している詳細な符号の一部を省略している。
また、以下の実施形態では、横板固定具及び収納装置が施工された状態において、収納空間の開口側を前方側、その逆側を後方側として説明し、また、施工された状態を基準として上下方向等の方向を説明する。
【００１２】
図１〜図５は、本実施形態に係る横板固定具及びこれを備えた収納装置の一例について説明するための概念的な説明図である。
本実施形態に係る収納装置１は、図２に示すように、収納空間２の両側壁３，３間に架け渡されるようにして配設される横板部材１０と、この横板部材１０の側端部１１を支持する横板固定具２０とを備えている。また、収納装置１は、横板部材１０に上端部１８（図３参照）が固定され、上下に配設される縦仕切板部材１６と、この縦仕切板部材１６の下端部１７を固定する縦仕切板固定具３０とを備えている。
【００１３】
収納空間２は、住居等の建物内に形成されたクローゼットや押入れ等とされ、左右の両側壁３，３、後方側壁４、天面（不図示）及び底面５によって区画されており、前方側（例えば、室内空間側）に向けて開口している。図例では、収納空間２の底面が床面５とされたいわゆるウォークインクローゼット状の収納空間２を例示している。
両側壁３，３及び後方側壁４は、図５に示すように、内壁材から構成され、この内壁材の裏面側には、壁下地としての間柱６や隅柱７等が設けられている。この壁下地としては、その他、胴縁や桟部材等としてもよい。
【００１４】
横板部材１０は、図２〜図４に示すように、略矩形平板状とされ、収納空間２の開口幅寸法に応じた長さ寸法（左右寸法）とされている。図例では、横板部材１０を後方側壁４に沿わせるように配設し、横板部材１０の前後寸法（幅寸法）を、収納空間２の前後寸法（奥行き寸法）よりも小さくした例を示している。この横板部材１０は、収納空間２に天板や枕棚、その他の棚板として設けられるものとしてもよい。
【００１５】
縦仕切板部材１６は、図２〜図４に示すように、収納空間２の開口幅方向途中部位において後方側壁４に沿うように配設され、図例では、二枚の縦仕切板部材１６，１６を横板部材１０の下面１３側に配設した例を示している。この縦仕切板部材１６は、図３及び図４に示すように、略矩形平板状とされ、横板部材１０の下面１３から床面５までの高さ寸法に応じた長さ寸法（上下寸法）とされている。また、図例では、この縦仕切板部材１６の前後寸法（幅寸法）を、横板部材１０の前後寸法よりも小さくした例を示している。つまり、本実施形態では、図４に示すように、横板部材１０を、縦仕切板部材１６の前端面よりも前方に延出するように配設した例を示している。
【００１６】
縦仕切板部材１６は、横板部材１０によって上下に区画された収納空間２の下側空間を左右に仕切る機能に加えて、横板部材１０の左右方向の途中部位を支持する機能を備えたものとしてもよい。また、図例のように複数枚（図例では二枚）の縦仕切板部材１６，１６を配設した場合には、これらの間に棚板や引出等を配設し、これら縦仕切板部材１６，１６を側板として機能させるようにしてもよい。さらには、このような態様に代えて、縦仕切板部材１６と側壁３との間に棚板や引出を設けるようにしてもよい。これらの態様では、必要に応じて、縦仕切板部材１６の側面１９や側壁３等に、棚板を支持する突起等の棚板受部や、引出を出し入れ自在に支持するレール等を設けるようにすればよい。
また、本実施形態では、横板部材１０の下方側にハンガー等が掛けられるパイプ部材２９を配設した例を示している。図例では、各側壁３と各縦仕切板部材１６との間にそれぞれパイプ部材２９，２９を配設し、二枚の縦仕切板部材１６，１６間に一本のパイプ部材２９を配設した例を示している。
【００１７】
横板固定具２０は、図１（ａ）及び図３に示すように、横板部材１０の側端面１２に対面配置され、側壁３に固定される側片部２１と、横板部材１０の下面１３に当接され、この横板部材１０の側端部１１に固定される下片部２５とを備えている。
側片部２１は、図４及び図５に示すように、横板部材１０の側端面１２の概ね全体を覆うように、その前後寸法が形成されており、図例では、横板部材１０の後端近傍の側端面１２の一部を除いて、横板部材１０の側端面１２を覆う形状とされている。また、側片部２１の上下寸法は、本実施形態では、横板部材１０の厚さ寸法よりも大きい寸法とされている。つまり、横板部材１０を下片部２５に載置した状態で、横板部材１０の上面１４よりも上方に向けて延出する延出部を有している。
本実施形態では、この側片部２１の延出部に、前後方向に沿って長尺の止具挿通長孔２２を設けている。この止具挿通長孔２２は、図１（ａ）及び図４に示すように側片部２１の前側半部の略全長に亘って設けられている。また、側片部２１の延出部の後端部近傍には、丸孔状の止具挿通孔２１ａが設けられている。
【００１８】
また、本実施形態では、この側片部２１に、横板部材１０の上面１４に当接される押え片部２３を設けている。
押え片部２３は、本実施形態では、図１（ａ）及び図５に示すように、側片部２１の後端部から収納空間２の開口幅方向中央側に向けて屈曲されるように側片部２１に設けられ、横板部材１０の後端側の上面１４に当接される構成とされている。図例では、上記のように延出された側片部２１の延出部の後端部に一連にこの押え片部２３を設けた例を示しており、横板部材１０の上面１４から横板部材１０の厚さ方向に沿って立ち上がるように設けた例を示している。つまり、押え片部２３の板厚方向と横板部材１０の厚さ方向とが略直交するように設けた例を示している。
【００１９】
この押え片部２３は、上記延出部の後端部から上記開口幅方向中央側かつ後方側に向けて傾斜状に形成された隅押え片２３ａと、この隅押え片２３ａの後端から開口幅方向中央側に向けて延びるように形成された後端押え片２３ｂとを有している。
これら隅押え片２３ａ及び後端押え片２３ｂには、丸孔状の止具挿通孔２３ｃ，２３ｄがそれぞれに設けられている。隅押え片２３ａに設けられた止具挿通孔２３ｃは、図例では、バーリング状のものとされている。
隅押え片２３ａは、横板部材１０の後端側出隅部上面に当接するように配設される。後端押え片２３ｂは、横板部材１０の後端部上面に当接するように配設され、その背面が後方側壁４に近接乃至は当接するように配設される。
【００２０】
また、側片部２１の上記延出部と隅押え片２３ａとに亘って補強リブが設けられ、隅押え片２３ａと後端押え片２３ｂとに亘って補強リブが設けられている。
この押え片部２３の側片部２１の内方側面（上記開口幅方向中央側に向く面）から上記開口幅方向中央側への突出寸法は、後記するように横板部材１０の後端側を安定的に保持し得るような寸法としてもよい。この突出寸法は、安定的な保持や見栄え上の観点等から２０ｍｍ〜１００ｍｍ程度の突出寸法としてもよく、５０ｍｍ前後の突出寸法としてもよい。
【００２１】
また、本実施形態では、側片部２１の前端部に、横板部材１０の前端面１５に対面配置される前端片部２４を設けている。この前端片部２４は、側片部２１の前端部から収納空間２の開口幅方向中央側に向けて屈曲されるように側片部２１に設けられている。図例では、この前端片部２４は、横板部材１０の厚さ寸法に応じた高さ寸法とされている。つまり、側片部２１の延出部には前端片部を設けていない例を示している。なお、延出部も含み、側片部２１の高さ方向の全体に亘って前端片部を設けるようにしてもよい。また、この前端片部２４の幅寸法（左右寸法）は、後記するように横板部材１０を施工する際に、加工誤差や施工誤差等を吸収し得るような寸法としてもよく、このような誤差吸収や見栄え上の観点等から数ｍｍ〜２０ｍｍ程度の比較的に小さい幅寸法としてもよい。
【００２２】
下片部２５は、側片部２１の下端縁から上記開口幅方向中央側に向けて屈曲されるように設けられている。この下片部２５は、横板部材１０の側端面１２近傍の下面１３の前後方向の概ね全体を覆うように、その前後寸法が形成されており、図例では、横板部材１０の後端及び前端近傍の一部を除いて、横板部材１０の側端面１２近傍の下面１３を覆う形状とされている。この下片部２５の幅寸法（左右寸法）は、横板部材１０を安定的に支持し得るような寸法としてもよく、このような安定的な支持や見栄え上の観点、製造コスト等の観点等から２０ｍｍ〜５０ｍｍ程度の幅寸法としてもよい。
【００２３】
この下片部２５には、前後方向に沿って間隔を空けて複数（図例では３つ）の丸孔状の止具挿通孔２５ａが設けられている。
また、本実施形態では、この下片部２５に、横板部材１０の下方側に配設されるパイプ部材２９の側壁３側の長手方向一端部が取り付けられるパイプ取付具２７を保持する係合保持部２６を設けている。
係合保持部２６は、図１（ａ）及び図４に示すように、前後方向に隙間を形成し、前後方向に向かい合うように設けられた一対の係合保持片２６ａ，２６ａを備えている。これら係合保持片２６ａ，２６ａは、下片部２５の上面から段下がり状に形成されている。また、これら係合保持片２６ａ，２６ａには、バーリング状の止具挿通孔が形成されている。
なお、この横板固定具２０は、鋼板等の金属板を切削や切断、折り曲げ、切り起こし、絞り、バーリング等の加工を施して上記形状とされたものとしてもよい。
【００２４】
パイプ取付具２７は、図３〜図５に示すように、横板固定具２０の係合保持部２６に係合し、保持される上端に設けられた係合片２７ｂと、この係合片２７ｂから垂れ下がるように形成され、一対の係合保持片２６ａ，２６ａの上記隙間に挿入される垂下片とを有している。この垂下片の下端部には、上記開口幅方向中央側に向けて開口するパイプ端部保持凹部２７ａが設けられている。このパイプ端部保持凹部２７ａにパイプ部材２９の長手方向一端部が嵌め込まれるようにして取り付けられる。なお、図例では、上方側にも開口したパイプ端部保持凹部２７ａを例示しているが、パイプ部材２９の断面形状に合せた有底筒状のパイプ端部保持凹部２７ａとしてもよい。また、係合片２７ｂには、横板固定具２０の一対の係合保持片２６ａ，２６ａに設けられた止具挿通孔に一致するように止具挿通孔が設けられている。
このパイプ取付具２７は、係合片２７ｂを横板固定具２０の一対の係合保持片２６ａ，２６ａに載置するようにして係合保持させ、これら係合保持片２６ａ，２６ａ及び係合片２７ｂに設けられた止具挿通孔を介して、ねじや釘等の固定止具によって固定される。この固定止具を横板部材１０にも捩じ込む（または打ち込む）ようにしてもよい。
【００２５】
上記のように長手方向一端部が横板固定具２０に係合保持されたパイプ取付具２７に取り付けられたパイプ部材２９の長手方向他端部は、縦仕切板部材１６の側面１９に固定されるパイプ保持具２８に取り付けるようにしてもよい。
パイプ保持具２８は、図３及び図５に示すように、上記同様のパイプ端部保持凹部２８ａを有し、縦仕切板部材１６の側面１９に向く面に、ダボ状の突起を有している。
このパイプ保持具２８は、縦仕切板部材１６の側面１９に形成されたダボ穴に上記突起を圧入するようにして係合させ、ねじや釘等の固定止具によって縦仕切板部材１６の側面１９に固定するようにしてもよい。
また、二枚の縦仕切板部材１６，１６間に架け渡すように設けられたパイプ部材２９の長手方向両端部は、縦仕切板部材１６，１６の対向する側面１９，１９にそれぞれ固定された上記同様のパイプ保持具２８，２８に取り付けられ、支持されている。
【００２６】
縦仕切板固定具３０は、図１（ｂ）及び図３に示すように、収納空間２の底面（図例では床面）５に固定される固定片部３１と、この固定片部３１から立ち上がるように設けられた一対の挟持片部３３，３５とを備えている。これら一対の挟持片部３３，３５は、縦仕切板部材１６の下端部１７を厚さ方向（左右方向）両側から挟むように保持する構成とされている。
固定片部３１には、図５に示すように、本実施形態では、縦仕切板部材１６の厚さ方向（左右方向、収納空間２の開口幅方向）に沿って長尺の止具挿通長孔３２が設けられている。また、本実施形態では、この固定片部３１を、縦仕切板部材１６の左右方向一方側の側面１９側にのみ露出するように設けた例を示している。
【００２７】
一対の挟持片部３３，３５は、図１（ｂ）及び図４に示すように、本実施形態では、前後方向で異なる位置となるように固定片部３１から切り起こされるようにして形成されている。これら挟持片部３３，３５は、本実施形態では、縦仕切板部材１６の一方の側面１９に当接する第１切起片部３３と、縦仕切板部材１６の他方の側面１９に当接する第２切起片部３５とからなる。これら第１切起片部３３と第２切起片部３５との左右方向に沿う間隔は、これらが縦仕切板部材１６の各側面１９，１９に当接し得るように、縦仕切板部材１６の厚さ寸法に応じた間隔とされている。
【００２８】
第１切起片部３３は、上記のように露出する固定片部３１側に設けられ、この固定片部３１の前後方向略中央部位から立ち上がるように形成されている。
この第１切起片部３３の前後方向両側には、固定片部３１に連なるように形成され、縦仕切板部材１６の下端面に当接する端面片部３４，３４がそれぞれ設けられている。本実施形態では、これら端面片部３４，３４のそれぞれから立ち上がるように第２切起片部３５，３５を設けた例を示している。つまり、本実施形態では、前後方向に沿って縦仕切板部材１６の両側で互い違いとなるように少なくとも一方の切起片部（図例では第２切起片部３５，３５）を複数設けた例を示している。
【００２９】
これら第１切起片部３３及び第２切起片部３５の立ち上り寸法（高さ寸法）や幅寸法（前後寸法）は、縦仕切板部材１６の下端部１７を安定的に保持し得るような寸法としてもよい。例えば、このような安定的な保持や見栄え上の観点、製造コスト等の観点等から上記立ち上がり寸法を、５ｍｍ〜２０ｍｍ程度とし、上記幅寸法を、１０ｍｍ〜３０ｍｍ程度としてもよい。
なお、この縦仕切板固定具３０は、上記した横板固定具２０と略同様、鋼板等の金属板を切削や切断、折り曲げ、切り起こし等の加工を施して上記形状とされたものとしてもよい。
また、図例では、単一の第１切起片部３３を設けた例を示しているが、複数の第１切起片部３３を設けるようにしてもよい。この場合、第２切起片部３５を単一のものとしてもよく、上記同様、複数のものとしてもよい。この場合は、固定片部３１や端面片部３４等を適宜、変形するようにすればよい。
【００３０】
次に、上記構成とされた本実施形態に係る収納装置１の施工手順の一例について説明する。
まず、横板部材１０の配設高さに応じて、収納空間２の両側壁３，３にそれぞれ横板固定具２０，２０を固定する。この際、横板固定具２０の押え片部２３の後端押え片２３ｂを後方側壁４に当接させて前後方向の位置決めを行うようにしてもよい。この横板固定具２０の固定は、図５に示すように、収納空間２を区画する壁面材の裏面側に配設された間柱６の前後位置に応じて、側片部２１の止具挿通長孔２２を利用してねじや釘等の固定止具８によって側壁３に側片部２１の前側部位を固定するようにしてもよい。上述のように、この止具挿通長孔２２は、前後方向に沿って長尺に形成されているので、収納空間２を区画する側壁３の壁下地としての間柱６等が配設された位置に合わせて固定することができる。これにより、胴縁等の固定下地等を設けないようにすることもできる。
【００３１】
また、側片部２１の後側部位は、上記した後端部に設けられた丸孔状の止具挿通孔２１ａを利用して固定するようにしてもよい。または、これに代えて若しくは加えて、図５に示すように、壁面材の隅部裏面側に隅柱７が配設されている場合には、この隅柱７に対して、押え片部２３を固定するようにしてもよい。この場合は、押え片部２３の隅押え片２３ａに設けられた止具挿通孔２３ｃを利用して固定止具８を隅柱７に対して斜め状に捩じ込んで（または打ち込んで）、押え片部２３を壁下地としての隅柱７に固定するようにしてもよい。さらには、後方側壁４の壁面材の隅部近傍裏面側に間柱等が配設されている場合には、この間柱等に対して、押え片部２３を固定するようにしてもよい。この場合は、押え片部２３の後端押え片２３ｂに設けられた止具挿通孔２３ｄを利用して固定止具８を間柱等に捩じ込んで（または打ち込んで）、押え片部２３を壁下地としての間柱等に固定するようにしてもよい。また、壁面材の裏面側に壁下地としての胴縁等が配設されている場合には、この胴縁等に対して、上記した少なくともいずれかの止具挿通孔を利用して、固定止具８を捩じ込んで（または打ち込んで）、側片部２１の後側部位を胴縁等に固定するようにしてもよい。
また、パイプ部材２９を横板部材１０の下方側に配設する場合には、横板固定具２０の係合保持部２６に上記したパイプ取付具２７を係合保持させておくようにしてもよい。
【００３２】
次いで、上記のように両側壁３，３にそれぞれ固定された一対の横板固定具２０，２０のそれぞれの下片部２５，２５に、両側端部１１，１１を載置するようにして、横板部材１０を取り付ける。この際、横板部材１０の側端部１１の後端側隅部を、横板固定具２０の下片部２５と押え片部２３との間に挿入するようにして、また、横板部材１０の後端面を後方側壁４に当接させるようにして、横板部材１０の側端部１１を下片部２５に載置するようにしてもよい。そして、横板固定具２０の下片部２５の下方側からこの下片部２５に設けられた複数の止具挿通孔２５ａを利用して、横板部材１０の側端部１１に対して、固定止具８を捩じ込んで（または打ち込んで）、横板固定具２０と横板部材１０とを固定するようにしてもよい。
【００３３】
また、横板部材１０の下面１３側に上下方向に沿って縦仕切板部材１６を配設する場合には、横板部材１０の長手方向途中部位の下面１３と縦仕切板部材１６の上端部１８とを固定するようにしてもよい。この縦仕切板部材１６は、上記のように横板部材１０の側端部１１を横板固定具２０に支持させた後に行うようにしてもよい。または、縦仕切板部材１６を横板部材１０に固定した後に、横板部材１０の側端部１１を横板固定具２０に支持させ、固定するようにしてもよい。
なお、縦仕切板部材１６の上端部１８の横板部材１０の下面１３への固定態様としては、図３に示すように、横板部材１０の上面１４側から、ねじや釘等の固定止具を縦仕切板部材１６の上端部１８に捩じ込む（または打ち込む）ことで固定する態様としてもよい。また、このような固定止具による固定態様に代えてまたは加えて、一方に設けたダボと他方に設けたダボ穴とをダボ組みすることで固定する態様としてもよい。この場合は、適宜、接着剤などを併用するようにしてもよい。または、このような固定態様に代えて若しくは加えて、Ｌ型金具等を用いて固定止具によって縦仕切板部材１６の上端部１８と横板部材１０の下面１３とを固定する態様としてもよい。
【００３４】
また、縦仕切板部材１６の下端部１７を、縦仕切板固定具３０を用いて床面５に対して固定する。この縦仕切板固定具３０は、縦仕切板部材１６を横板部材１０に固定する前に、第１切起片部３３と第２切起片部３５との間に縦仕切板部材１６の下端部１７を嵌め込むようにして取り付けておくようにしてもよい。そして、縦仕切板固定具３０の固定片部３１に設けられた止具挿通長孔３２を利用して、収納空間２の床面５にねじや釘等の固定止具８によって縦仕切板固定具３０を固定する。この際、固定片部３１の止具挿通長孔３２は、縦仕切板部材１６の厚さ方向に沿って長尺に形成されているので、例えば、固定止具８を仮止め等した後、縦仕切板部材１６が垂直となるように位置合わせを容易に行うことができる。
【００３５】
そして、縦仕切板部材１６の側面１９に、パイプ保持具２８を固定し、パイプ部材２９を取り付けて、当該収納装置１を施工するようにしてもよい。
なお、上記施工手順は一例に過ぎず、別手順で行うようにしてもよい。例えば、横板固定具２０を横板部材１０の側端部１１に固定した後に、横板固定具２０を側壁３等に固定する態様としてもよい。この場合は、横板部材１０の前端面１５を、横板固定具２０の前端片部２４に当接させて、前後方向の位置決めを行うようにしてもよい。つまり、横板固定具２０の前端片部２４を位置決め片部として機能させるようにしてもよい。また、このような施工手順によっても、本実施形態では、側片部２１に延出部を設け、この延出部に止具挿通長孔２２及び止具挿通孔２１ａ並びに止具挿通孔２３ｃ，２３ｄを設けた押え片部２３を設けているので、これらを利用して横板固定具２０を固定することができる。
【００３６】
上記構成とされた本実施形態に係る収納装置１によれば、横板固定具２０を備えているので、横板部材１０の固定強度を向上させることができる。つまり、横板部材１０の側端部１１を、この側端部１１が固定される横板固定具２０の下片部２５によって支持することができる。また、横板固定具２０は、横板部材１０の上面１４に当接される押え片部２３を備えているので、上方側等への外力が加わった場合にもこの押え片部２３によって横板部材１０の下片部２５からの浮き上がり等を抑制することができる。従って、横板部材１０の固定強度を向上させることができる。
【００３７】
また、本実施形態では、横板固定具２０の押え片部２３を、側片部２１の後端部から収納空間２の開口幅方向中央側に向けて屈曲されるように側片部２１に設けているので、横板部材１０の後端側の浮き上がり等を当該押え片部２３によって抑制することができる。これにより、横板部材１０の下面１３側に、上記のように横板部材１０よりも前後寸法の短い縦仕切板部材１６の上端１８が固定されて配設される場合にも好適なものとなる。つまり、横板部材１０の手前側が下方側等に向けて引っ張られて後方側に浮き上がり方向の荷重が掛かるような場合にも横板部材１０の後端側が下片部２５から浮き上がったり、外れたりするようなことを抑制することができる。
さらに、本実施形態では、押え片部２３の板厚方向と横板部材１０の厚さ方向とが略直交するように押え片部２３を形成しているので、当該押え片部２３が側片部２１に対して上下方向に変形し難く、撓み難くなり、横板部材１０の後端側の浮き上がり等をより効果的に抑制することができる。さらにまた、本実施形態では、押え片部２３に固定止具８が挿通される止具挿通孔２３ｃ，２３ｄを設けているので、これらを利用して、上記のように押え片部２３を壁下地に固定する態様とすれば、横板部材１０の後端側の浮き上がり等をさらに効果的に抑制することができる。
【００３８】
さらにまた、本実施形態では、横板固定具２０の側片部２１の前端部に、横板部材１０の前端面１５に対面配置される前端片部２４を設けている。従って、横板部材１０の側端面１２と横板固定具２０の側片部２１との間に隙間が形成されるような場合にも前端片部２４によってこの隙間の前方側を覆い隠すことができ、横板部材１０の側端部１１を見栄え良く納めることができる。また、これにより、横板部材１０の収納空間２の開口幅方向に沿う寸法の微調整を高精度に行う必要性が低減され、施工性を向上させることができる。
【００３９】
また、本実施形態では、横板固定具２０の下片部２５に、横板部材１０の下方側に配設されるパイプ部材２９の端部が取り付けられるパイプ取付具２７を保持する係合保持部２６を設けている。従って、横板固定具２０をパイプ取付具２７の保持手段として兼用することができる。これにより、上記のようなパイプ保持具２８を別途、側壁３や受け桟等に固定する必要があるものと比べて、施工性を向上させることができる。
【００４０】
また、上記構成とされた本実施形態に係る収納装置１によれば、縦仕切板固定具３０を備えているので、縦仕切板部材１６の固定強度を向上させることができるとともに施工性を向上させることができる。つまり、縦仕切板部材１６の下端部１７を厚さ方向両側から挟むように保持する一対の挟持片部としての第１切起片部３３と第２切起片部３５とを備えているので、縦仕切板部材１６の厚さ方向への位置ズレ等を抑制することができ、縦仕切板部材１６の固定強度を向上させることができる。
さらに、これら第１切起片部３３及び第２切起片部３５は、収納空間２の床面５に固定される固定片部３１から立ち上がるように設けられている。従って、例えば、両側にＬ型金具等を固定するようなものと比べて、部品点数を増加させることなく施工でき、施工性を向上させることができる。
さらにまた、本実施形態では、固定片部３１を、縦仕切板部材１６の左右方向一方側の側面１９側にのみ露出するように設けているので、縦仕切板部材１６の左右方向他方側の側面１９側では縦仕切板固定具３０が目立ち難くなり、見栄えを向上させることができる。
【００４１】
また、縦仕切板固定具３０の第１切起片部３３及び第２切起片部３５は、前後方向で異なる位置となるように固定片部３１から切り起こされるようにして形成されているので、簡易な構造とでき、加工コストや製造コストを抑えることができる。
さらに、本実施形態では、前後方向に沿って縦仕切板部材１６の両側で互い違いとなるように少なくとも一方の切起片部（図例では第２切起片部３５，３５）を複数設けている。従って、縦仕切板部材１６の下端部１７の水平面域方向への回動乃至は揺動（垂直軸廻りの回動乃至は揺動）を、部品点数を増加させることなく効果的に抑制することができる。つまり、図例のように縦仕切板部材１６の前後方向途中部位に単一の縦仕切板固定具３０を設けた場合において、第１切起片部３３及び第２切起片部３５を、前後方向で異なる位置となるようにそれぞれ単一とした場合には、縦仕切板部材１６の下端部１７が水平面域方向に回動等し易い傾向があるが、このような回動等を抑制することができる。
【００４２】
なお、本実施形態では、横板固定具２０の側片部２１に延出部を設け、この延出部に止具挿通長孔２２を設けた例を示しているが、このような延出部を設けずに、横板部材１０の側端面１２に対面配置される部位に止具挿通長孔を設けるようにしてもよい。この場合は、固定止具８の頭部等と横板部材１０とが干渉しないように、横板部材１０の左右寸法を適宜の寸法としてもよく、また、それに応じて前端片部２４の幅寸法を比較的に大きくするような態様としてもよい。または、このような止具挿通長孔２２を上記延出部や上記対面配置される部位に設けずに、これらの前後方向に沿って間隔を空けて複数の丸孔状の止具挿通孔を設けるようにしてもよい。さらには、このような止具挿通孔を側片部２１や押え片部２３に設けずに、例えば、施工現場等において下孔加工等が施されるものとしてもよい。
【００４３】
また、本実施形態では、横板固定具２０の側片部２１の前端部に、前端片部２４を設けた例を示しているが、このような前端片部２４を設けないようにしてもよい。
さらに、本実施形態では、横板固定具２０の側片部２１の後端部に、押え片部２３の板厚方向と横板部材１０の厚さ方向とが略直交するように押え片部２３を設けた例を示しているが、このような態様に限られない。例えば、押え片部２３の板厚方向と横板部材１０の厚さ方向とが略平行となるように、つまり、下片部２５と平行となるように押え片部２３を設ける態様としてもよい。また、このように横板固定具２０の側片部２１の後端部に押え片部２３を設ける態様に代えてまたは加えて、側片部２１の前端部や前後方向途中部位等に押え片部を設けるようにしてもよい。
さらにまた、本実施形態では、横板固定具２０の下片部２５に、パイプ取付具２７を保持する係合保持部２６を設けた例を示しているが、このような係合保持部２６を設けないようにしてもよい。この場合は、別途、上記同様のパイプ保持具を設け、側壁３等に固定するようにしてもよい。
【００４４】
また、本実施形態では、縦仕切板固定具３０の固定片部３１を、縦仕切板部材１６の左右方向一方側の側面１９側にのみ露出するように設けた例を示しているが、縦仕切板部材１６の両側面１９，１９側に露出するように固定片部をそれぞれ設けるようにしてもよい。この場合は、各固定片部に上記同様の止具挿通長孔を設けるようにしてもよい。
さらに、本実施形態では、縦仕切板固定具３０の一対の挟持片部として、前後方向に沿って縦仕切板部材１６の両側で互い違いとなるように少なくとも一方の切起片部を複数設けたものを示しているが、これらをそれぞれ単一のものとしてもよい。このような態様によっても縦仕切板部材１６の厚さ方向への位置ズレ等を抑制することができ、縦仕切板部材１６の固定強度を向上させることができる。このような場合において上記のような縦仕切板部材１６の下端部１７の回動を抑制する必要がある場合には、縦仕切板部材１６の前後方向に沿って複数の縦仕切板固定具３０を設けるようにしてもよい。
【００４５】
さらにまた、本実施形態では、縦仕切板固定具３０の一対の挟持片部３３，３５を、前後方向で異なる位置となるように固定片部３１から切り起こすようにして形成したものとした例を示しているが、このような態様に限られない。例えば、これら一対の挟持片部を、前後方向で略同位置となるように固定片部３１から立ち上がるように形成したものとしてもよい。
また、本実施形態では、縦仕切板固定具３０の一対の挟持片部３３，３５に縦仕切板部材１６の下端部１７を嵌め込むことで、縦仕切板部材１６の下端部１７を縦仕切板固定具３０に固定した例を示しているが、このような態様に限られない。例えば、これら一対の挟持片部３３，３５の少なくとも一方を介して固定止具を縦仕切板部材１６の下端部１７の厚さ方向に捩じ込む（または打ち込む）ことで、これらを固定する態様としてもよい。この場合は、一対の挟持片部３３，３５の少なくとも一方に止具挿通孔を設けるようにしてもよい。
【００４６】
さらに、本実施形態では、縦仕切板固定具３０の固定片部３１に、縦仕切板部材１６の厚さ方向に沿って長尺の止具挿通長孔３２を設けた例を示しているが、このような態様に代えて、丸孔状の止具挿通孔を固定片部３１に設ける態様としてもよい。さらには、このような止具挿通孔を固定片部３１に設けずに、例えば、施工現場等において下孔加工等が施されるものとしてもよい。
さらにまた、本実施形態では、縦仕切板部材１６の上端部１８を、横板部材１０の下面１３に固定した例を示しているが、縦仕切板部材１６の上端部１８を、後方側壁４等に固定する態様としてもよい。この場合は、適宜、Ｌ型金具等を用いて固定するようにしてもよい。
【００４７】
また、本実施形態では、床面５と略同一平面状とされた面を収納空間２の底面としたウォークインクローゼット状の収納空間２とした例を示しているが、地板や棚板等の上面を収納空間の底面として把握するようにしてもよい。また、図例では、前方側に向けて開口した収納空間２を例示しているが、この前方側開口を開閉する折戸や引戸、開き戸等の扉部材を更に設けるようにしてもよい。この場合は、前方側開口縁に沿って適宜、必要に応じて扉部材を建て付けるための開口枠等を設けるようにしてもよい。
さらに、本実施形態では、両側壁３，３及び後方側壁４を内壁材によって構成し、その裏側に壁下地としての間柱６や隅柱７等が配設された木造の建物の収納空間２に収納装置１を施工した例を示しているが、このような態様に限られない。壁下地が軽量鉄骨柱からなる軽量鉄骨造や、コンクリートからなる鉄筋コンクリート造等の建物の収納空間２に収納装置１を施工する態様としてもよい。この場合は、収納装置１が備える各固定具２０，３０を固定する固定止具を、固定対象となる壁下地に応じて適宜のものを採用するようにすればよい。
【００４８】
さらにまた、本実施形態では、内壁材からなる側壁３を横板固定具２０の固定対象とした例を示しているが、このような態様に限られない。例えば、縦仕切板部材１６，１６間または縦仕切板部材１６と側壁３との間に横板部材１０を架け渡すようにして配設する際には、縦仕切板部材１６を収納空間の側壁として把握するようにしてもよい。
また、本実施形態では、収納空間２の開口幅寸法に応じた一枚からなる横板部材１０を例示しているが、複数枚からなる横板を長手方向にジョイント金具等によって接合したものとしてもよい。
【００４９】
さらに、本実施形態では、二枚の縦仕切板部材１６，１６を配設した例を示しているが、一枚または三枚以上の縦仕切板部材を設ける態様としてもよい。また、本実施形態では、上記した縦仕切板固定具３０によって縦仕切板部材１６の下端部１７を固定した例を示しているが、このような縦仕切板固定具３０に代えて、Ｌ型金具等を縦仕切板部材の下端部の固定具として採用するようにしてもよい。
さらには、このような縦仕切板部材１６を設けない態様としてもよい。この場合は、両側の横板固定具２０，２０によって保持されたパイプ取付具２７，２７によって一本のパイプ部材２９の両端部を保持させる態様としてもよい。また、この場合は、縦仕切板固定具３０等の縦仕切板部材１６の下端部１７を固定する固定具は不要である。
さらにまた、本実施形態では、パイプ部材２９を横板部材１０の下方側に配設した例を示しているが、このようなパイプ部材２９を設けないようにしてもよい。
【符号の説明】
【００５０】
１        収納装置
２        収納空間
３        側壁
４        後方側壁
１０      横板部材
１１      側端部
１２      側端面
１３      下面
１４      上面
１５      前端面
１６      縦仕切板部材
１８      上端部
２０      横板固定具
２１      側片部
２２      止具挿通長孔
２３      押え片部
２４      前端片部
２５      下片部
２６      係合保持部
２７      パイプ取付具
２９      パイプ部材
【図１】
2012225066.tif 000003
【図２】
2012225066.tif 000004
【図３】
2012225066.tif 000005
【図４】
2012225066.tif 000006
【図５】
2012225066.tif 000007